【手続補正書】
【提出日】平成26年1月7日(2014.1.7)
【手続補正１】
【補正対象書類名】特許請求の範囲
【補正対象項目名】全文
【補正方法】変更
【補正の内容】
【特許請求の範囲】
【請求項１】
ビデオの品質を測定する方法であって、
前記ビデオの各フレームが損失したかまたは上手く送信されたかどうかを示すことによって前記ビデオのフレーム損失パターンを生成するステップと、
前記ビデオの前記品質を前記生成されたフレーム損失パターンの関数として評価するステップと、
を備える、前記方法。
【請求項２】
前記評価は、
１番目の損失フレームからの、前記ビデオの１または複数の連続した損失フレームをグループフレーム損失にグループ化するステップと、
最初のグループフレーム損失からの、前記フレーム損失パターンを、１または複数の連続したグループフレーム損失を有する複数のセクションに分割して、セクションの各グループフレーム損失が、前記グループフレーム損失とその前のグループフレーム損失との間で同じ数の上手く送信されたフレームおよび同じ数の損失フレームを有するようにするステップと、
グループフレーム損失の各セクションによって生成された品質劣化の値を計算するステップと、
すべてのセクションの前記値を合わせることによって前記ビデオの前記品質を評価するステップと、
を備える、請求項１に記載の方法。
【請求項３】
グループフレーム損失のセクションによって生成された前記品質劣化の前記値を、前記セクションの隣接する２つのグループフレーム損失間で上手く送信されたフレームの平均数と前記セクションのすべての前記グループフレーム損失の損失フレームの平均数との関数として計算することをさらに備える、請求項２に記載の方法。
【請求項４】
前記すべてのセクションの前記値を合わせることによって前記ビデオの前記品質を評価するステップは、すべてのセクションの前記値を重み付けプーリングによって合わせることを備える、請求項２または３に記載の方法。
【請求項５】
前記重み付けプーリングの１つのセクションの重み付け係数は、前記セクションの前記フレーム数、前記セクションの真ん中から最後のフレームまでの距離、および前記セクションによって導かれた知覚的経時劣化によって異なる、請求項４に記載の方法。
【請求項６】
ビデオの品質を測定する装置であって、入力ビデオを受信し、および前記受信されたビデオのフレーム損失パターンを生成する手段と、
前記ビデオの前記品質を、前記生成されたフレーム損失パターンの関数として評価する手段と、
を備える、前記装置。
【請求項７】
前記ビデオの前記品質を評価する前記手段は、
フレーム損失パターン生成ユニットから前記フレーム損失パターンを受信し、および第１の損失フレームからの、前記フレーム損失パターンの１または複数の連続した損失フレームをグループフレーム損失にグループ化するためのグループ化ユニットと、
前記グループ化ユニットから前記グループ化されたフレーム損失パターンを受信し、および前記第１のグループフレーム損失からの、前記フレーム損失パターンを、１または複数の連続したグループフレーム損失を有する複数のセクションに分割して、セクションの各グループフレーム損失が、前記グループフレーム損失とその前のグループフレーム損失との間で同じ数の上手く送信されたフレームおよび同じ数の損失フレームを有するようにするための分割ユニットと、
前記分割ユニットによって出力されたグループフレーム損失の各セクションによって生成された品質劣化の値を計算するための計算ユニットと、
前記計算ユニットによって出力されたすべてのセクションの前記値を合わせて前記ビデオの前記品質を評価し、および前記値を出力するための評価ユニットと
を備える、請求項６に記載の装置。
【請求項８】
前記計算ユニットは、グループフレーム損失のセクションによって生成された前記品質劣化の前記値を、前記セクションの隣接する２つのグループフレーム損失間で上手く送信されたフレームの平均数と前記セクションのすべての前記グループフレーム損失の損失フレームの平均数との関数として計算する、請求項７に記載の装置。
【請求項９】
前記評価ユニットは、重み付けプーリングによってすべてのセクションの前記値を合わせる、請求項７または８に記載の装置。
【請求項１０】
前記重み付けプーリングの１つのセクションの重み付け係数は、前記セクションの前記フレーム数、前記セクションの真ん中から最後のフレームまでの距離、および前記セクションによって導かれた前記知覚的経時劣化によって異なる、請求項９に記載の装置。
【手続補正２】
【補正対象書類名】明細書
【補正対象項目名】００９９
【補正方法】変更
【補正の内容】
【００９９】
本発明は、単に例として説明され、そして発明の範囲から逸脱せずに詳細の変更を行うことができることが理解されよう。説明で開示された各特徴および（それに適した）特許請求の範囲および図面は、単独または適した任意の組み合わせにおいて提供されてよい。適した特徴は、ハードウェア、ソフトウェア、またはその２つを組み合わせて実装されてよい。
（付記１）
ビデオの品質を測定する方法であって、
前記ビデオの各フレームが損失したかまたは上手く送信されたかどうかを示すことによって前記ビデオのフレーム損失パターンを生成するステップと、
前記ビデオの前記品質を前記生成されたフレーム損失パターンの関数として評価するステップと、
を備える、前記方法。
（付記２）
前記評価は、
１番目の損失フレームからの、前記ビデオの１または複数の連続した損失フレームをグループフレーム損失にグループ化するステップと、
最初のグループフレーム損失からの、前記フレーム損失パターンを、１または複数の連続したグループフレーム損失を有する複数のセクションに分割して、セクションの各グループフレーム損失が、前記グループフレーム損失とその前のグループフレーム損失との間で同じ数の上手く送信されたフレームおよび同じ数の損失フレームを有するようにするステップと、
グループフレーム損失の各セクションによって生成された品質劣化の値を計算するステップと、
すべてのセクションの前記値を合わせることによって前記ビデオの前記品質を評価するステップと、
を備える、付記１に記載の方法。
（付記３）
グループフレーム損失のセクションによって生成された前記品質劣化の前記値を、前記セクションの隣接する２つのグループフレーム損失間で上手く送信されたフレームの平均数と前記セクションのすべての前記グループフレーム損失の損失フレームの平均数との関数として計算することをさらに備える、付記２に記載の方法。
（付記４）
前記評価は、すべてのセクションの前記値を重み付けプーリングによって合わせることを備える、付記２または３に記載の方法。
（付記５）
前記重み付けプーリングの１つのセクションの重み付け係数は、前記セクションの前記フレーム数、前記セクションの真ん中から最後のフレームまでの距離、および前記セクションによって導かれた知覚的経時劣化によって異なる、付記４に記載の方法。
（付記６）
ビデオの品質を測定する装置であって、入力ビデオを受信し、および前記受信されたビデオのフレーム損失パターンを生成する手段と、
前記ビデオの前記品質を、前記生成されたフレーム損失パターンの関数として評価する手段と、
を備える、前記装置。
（付記７）
前記ビデオの前記品質を評価する前記手段は、
フレーム損失パターン生成ユニットから前記フレーム損失パターンを受信し、および第１の損失フレームからの、前記フレーム損失パターンの１または複数の連続した損失フレームをグループフレーム損失にグループ化するためのグループ化ユニットと、
前記グループ化ユニットから前記グループ化されたフレーム損失パターンを受信し、および前記第１のグループフレーム損失からの、前記フレーム損失パターンを、１または複数の連続したグループフレーム損失を有する複数のセクションに分割して、セクションの各グループフレーム損失が、前記グループフレーム損失とその前のグループフレーム損失との間で同じ数の上手く送信されたフレームおよび同じ数の損失フレームを有するようにするための分割ユニットと、
前記分割ユニットによって出力されたグループフレーム損失の各セクションによって生成された品質劣化の値を計算するための計算ユニットと、
前記計算ユニットによって出力されたすべてのセクションの前記値を合わせて前記ビデオの前記品質を評価し、および前記値を出力するための評価ユニットと
を備える、付記６に記載の装置。
（付記８）
前記計算ユニットは、グループフレーム損失のセクションによって生成された前記品質劣化の前記値を、前記セクションの隣接する２つのグループフレーム損失間で上手く送信されたフレームの平均数と前記セクションのすべての前記グループフレーム損失の損失フレームの平均数との関数として計算する、付記７に記載の装置。
（付記９）
前記評価ユニットは、重み付けプーリングによってすべてのセクションの前記値を合わせる、付記７または８に記載の装置。
（付記１０）
前記重み付けプーリングの１つのセクションの重み付け係数は、前記セクションの前記フレーム数、前記セクションの真ん中から最後のフレームまでの距離、および前記セクションによって導かれた前記知覚的経時劣化によって異なる、付記９に記載の装置。